(57)【特許請求の範囲】
【請求項１】
ペットの胴回りに巻き付けるために所定方向に延びる胴回り用帯と、前記胴回り用帯から前記所定方向と直交する方向に延びる腹部用帯と、前記腹部用帯の先端部を二股に分けるように当該腹部用帯に形成された尻尾用スリットとを有するペット用おむつを製造するための方法であって、
帯状シートをその長手方向に搬送する搬送工程と、
前記帯状シートをその幅方向に分断することにより、前記胴回り用帯同士が前記長手方向に連結され、かつ、前記腹部用帯が前記長手方向に並ぶ形状をそれぞれ有する２列のおむつ連続体を形成する連続体形成工程と、
前記おむつ連続体の前記腹部用帯に相当する部分に前記尻尾用スリットを形成するスリット形成工程と、
前記各おむつ連続体をペット用おむつに切り分ける切り分け工程とを含み、
前記連続体形成工程では、各おむつ連続体の腹部用帯が前記長手方向に交互に並ぶように、前記幅方向に蛇行する分断線に沿って前記帯状シートを分断し、
前記おむつ連続体をペット用おむつに切り分けるための切断線と、前記尻尾用スリットを形成するためのスリット形成線とが前記幅方向に連続するように配置され、前記スリット形成工程と前記切り分け工程とを同時に行うことを特徴とするペット用おむつの製造方法。
【請求項２】
前記分断線、前記切断線、及び前記スリット形成線に沿って帯状シートを切断する前の段階において、前記胴回り用帯同士及び胴回り用帯と腹部用帯とを止着するための止着部材を前記分断線、前記切断線及び前記スリット線に跨るように帯状シートに取り付ける取付工程をさらに含み、前記連続体形成工程、スリット形成工程、及び切り分け工程では、帯状シートとともに前記止着部材を切断することを特徴とする請求項１に記載のペット用おむつの製造方法。
【請求項３】
前記切断線に沿って帯状シートを切断する前の段階において、前記胴回り用帯を延長するための延長帯をその長手方向に折り畳むとともに前記切断線を跨ぐように配置した状態で、当該延長帯の両端部を前記帯状シートに固定する固定工程をさらに含み、前記切り分け工程では、前記延長帯の途中部と帯状シートとを切断することを特徴とする請求項１に記載のペット用おむつの製造方法。
【請求項４】
前記延長帯同士を止着するための止着部材を前記延長帯に取り付ける取付工程をさらに備え、前記切り分け工程では、前記延長帯の途中部と帯状シートと止着部材とを切断することを特徴とする請求項３に記載のペット用おむつの製造方法。
【発明の詳細な説明】
【技術分野】
【０００１】
本発明は、ペット用おむつの製造方法に関するものである。
【背景技術】
【０００２】
従来から、ペット用おむつとして例えば特許文献１のようなものが知られている。図１０は、特許文献１に係るペット用おむつの全体構成を示す概略図である。
【０００３】
図１０を参照して、特許文献１のペット用おむつ１００は、本体部１０１と、本体部１０１の前側端部において本体部１０１と直交する方向に延びる胴体固定用帯状部１０２と、本体部１０１においてペットの排泄物を吸収する吸収体１０３とを備えている。本体部１０１は、その後側端部に形成されたスリット１０４によって、帯状部１０１ａ及び帯状部１０１ｂに分断されている。
【０００４】
以下、前記ペット用おむつ１００の装着方法について図１０〜図１３を参照して説明する。
【０００５】
まず、図１１に示すように、本体部１０１をペットＰの腹部にあてがった状態で、ペットの胴体に胴体固定用帯状部１０２を巻きつけて固定する。次に、図１２に示すように、ペットの尻尾をスリット１０４に挿入するようにして、尻尾の両側に帯状部１０１ａ、１０１ｂを配置する。そして、図１３に示すように、帯状部１０１ａと帯状部１０１ｂとを交差させた状態で、それぞれの先端部を胴体固定用帯状部１０２に接着する。
【特許文献１】特開２００３−４７３６０号公報
【発明の開示】
【発明が解決しようとする課題】
【０００６】
上述のようなペット用おむつを製造するのに際し、使用される材料のロスが少なく、かつ、生産効率の高い製造方法が要望されている。
【０００７】
しかしながら、特許文献１に係るペット用おむつでは、そのような考慮がなされていなかった。
【０００８】
本発明は、上記課題に鑑みてなされたものであり、材料のロスが少なく、かつ、生産効率の高いペット用おむつの製造方法を提供することを目的としている。
【課題を解決するための手段】
【０００９】
上記課題を解決するために、本発明は、ペットの胴回りに巻き付けるために所定方向に延びる胴回り用帯と、前記胴回り用帯から前記所定方向と直交する方向に延びる腹部用帯と、前記腹部用帯の先端部を二股に分けるように当該腹部用帯に形成された尻尾用スリットとを有するペット用おむつを製造するための方法であって、帯状シートをその長手方向に搬送する搬送工程と、前記帯状シートをその幅方向に分断することにより、前記胴回り用帯同士が前記長手方向に連結され、かつ、前記腹部用帯が前記長手方向に並ぶ形状をそれぞれ有する２列のおむつ連続体を形成する連続体形成工程と、前記おむつ連続体の前記腹部用帯に相当する部分に前記尻尾用スリットを形成するスリット形成工程と、前記各おむつ連続体をペット用おむつに切り分ける切り分け工程とを含み、前記連続体形成工程では、各おむつ連続体の腹部用帯が前記長手方向に交互に並ぶように、前記幅方向に蛇行する分断線に沿って前記帯状シートを分断し、前記おむつ連続体をペット用おむつに切り分けるための切断線と、前記尻尾用スリットを形成するためのスリット形成線とが前記幅方向に連続するように配置され、前記スリット形成工程と前記切り分け工程とを同時に行うことを特徴とするペット用おむつの製造方法を提供する。
【００１０】
本発明によれば、帯状シートをその幅方向に蛇行する分断線に沿って分断することにより、各おむつ連続体の腹部用帯が長手方向に交互に並び、かつ、胴回り用帯同士が長手方向に連結された状態にある２列のおむつ連続体を得ることができ、これらおむつ連続体を切り分けることによりペット用おむつを得ることができるので、帯状シートをロスすることなくペット用おむつを製造することができる。
【００１１】
したがって、本発明によれば、材料のロスが少なく、かつ、高い生産効率でペット用おむつを製造することができる。
【００１２】
また、本発明によれば、スリットを形成するのと同時に、各おむつ連続体をペット用おむつに切り分けることができるので、これらを別々に行う場合よりも作業時間を短縮することができ、生産効率をより向上することができる。
【００１３】
前記ペット用おむつの製造方法において、前記分断線、前記切断線、及び前記スリット形成線に沿って帯状シートを切断する前の段階において、前記胴回り用帯同士及び胴回り用帯と腹部用帯とを止着するための止着部材を前記分断線、前記切断線及び前記スリット線に跨るように帯状シートに取り付ける取付工程をさらに含み、前記連続体形成工程、スリット形成工程、及び切り分け工程では、帯状シートとともに前記止着部材を切断することが好ましい。
【００１４】
この製造方法によれば、分断線、切断線、及びスリット形成線に沿って止着部材を４分割することにより、止着部材をペット用おむつの適所に設けることができる。
【００１５】
つまり、４分割された止着部材のうちの２つが胴回り用帯の両端部に、残りの２つが腹部用帯の先端部におけるスリットを挟んだ両側に配置されることになるため、ペットの胴回りに巻き付けられた胴回り用帯同士を止着するために当該胴回り用帯に設けられた２つの止着部材を利用することができ、胴回り用帯に対して腹部用帯を止着するために残りの２つの止着部材を利用することができる。
【００１６】
そして、前記製造方法では、１つの止着部材を帯状シートに取り付けた上で、連続体形成工程、スリット形成工程、及び切り分け工程において止着部材を４分割しているので、４つの止着部材を個別に取り付ける場合よりも効率よくペット用おむつを製造することができる。
【００１７】
前記ペット用おむつの製造方法において、前記切断線に沿って帯状シートを切断する前の段階において、前記胴回り用帯を延長するための延長帯をその長手方向に折り畳むとともに前記切断線を跨ぐように配置した状態で、当該延長帯の両端部を前記帯状シートに固定する固定工程をさらに含み、前記切り分け工程では、前記延長帯の途中部と帯状シートとを切断することが好ましい。
【００１８】
この製造方法によれば、折り畳まれた延長帯をその途中部で切断することにより、胴回り用帯の両端部に延長帯の半分をそれぞれ残すことができるので、これら延長帯の半分を展開することにより、胴回り帯を延長することが可能となる。したがって、前記製造方法により製造されたペット用おむつは、胴回りの大きなペットに対しても装着することが可能となる。
【００１９】
しかも、前記製造方法では、延長帯の両端部を帯状シートに固定した上で、この延長帯の途中部を切断することとしているため、分断線の両側にそれぞれ折り畳んだ帯の一端のみを固定した場合と異なり、帯状シートの搬送中において延長帯が不用意に揺動するのを防ぐことができる。つまり、折り畳んだ帯の一端のみを帯状シートに固定した場合には、反対の端部が自由に移動することができてしまうのに対し、前記製造方法のように延長帯の両端を帯状シートに固定した場合には、当該延長帯の移動を比較的小さくすることができる。
【００２０】
前記ペット用おむつの製造方法において、前記延長帯同士を止着するための止着部材を前記延長帯に取り付ける取付工程をさらに備え、前記切り分け工程では、前記延長帯の途中部と帯状シートと止着部材とを切断することが好ましい。
【００２１】
前記製造方法によれば、切断された後における延長帯の先端部にそれぞれ止着部材を設けることができるので、これら止着部材を用いて延長帯同士を止着することができる。
【発明の効果】
【００２２】
本発明によれば、材料のロスが少なく、かつ、生産効率の高いペット用おむつの製造方法を提供することができる。
【発明を実施するための最良の形態】
【００２３】
以下、本発明の好ましい実施形態について図面を参照して説明する。
【００２４】
図１は、本発明の第１の実施形態に係るペット用おむつ１を示す平面図である。図２は、図１のII−II線断面図である。
【００２５】
図１及び図２を参照して、ペット用おむつ１は、おむつ本体２と、このおむつ本体２に設けられた吸収体３とを備えている。まず、おむつ本体２の形状について説明する。
【００２６】
おむつ本体２は、ペットの胴回りに巻き付けるために所定方向（以下、おむつ幅方向とする）に延びる胴回り用帯４と、この胴回り用帯４から前記所定方向と直交する方向（以下、おむつ長さ方向とする）に延びる腹部用帯５と、この腹部用帯５の先端部を二股に分けるように当該腹部用帯５に形成された尻尾用スリット６とを備えた形状とされている。前記腹部用帯５は、先窄まりの形状とされている。以下、おむつ本体２の具体的構成について説明する。
【００２７】
おむつ本体２は、不透液性の第１シート７と、透液性の第２シート８と、これらのシート７、８の間に挟持された弾性部材９と、前記第２シート８の表面（ペットに接触する側）に固定された止着片１０ａ〜１０ｄとを備えている。
【００２８】
弾性部材９は、前記胴回り用帯４に相当する部分においておむつ幅方向に伸張された状態で、第１シート７、第２シート８の少なくとも一方に固定されている。この弾性部材９により胴回り用帯４がおむつ幅方向に伸縮可能となるため、ペット用おむつ１の着用感が向上する。
【００２９】
また、本実施形態において、弾性部材９は、止着片１０ａと止着片１０ｂとの間の範囲Ｄ１内に設けられ、止着片１０ａ、１０ｂが設けられた範囲では省略されている。したがって、弾性部材９の収縮力が止着片１０ａ、１０ｂに及んで当該止着片１０ａ、１０ｂが縮んでしまうといった不具合を回避することができる。
【００３０】
止着片１０ａ〜１０ｄのうち止着片１０ａ、１０ｂは、それぞれ胴回り用帯４のおむつ幅方向の両側に設けられ、胴回り用帯４をペットの胴回りに巻き付けた状態で当該胴回り用帯４同士を止着するために用いられる。一方、止着片１０ｃ、１０ｄは、それぞれ尻尾用スリット６の両側における腹部用帯５の先端部に設けられ、前記止着片１０ａ、１０ｂを利用してペットに巻き付けられた胴回り用帯４に対して腹部用帯５を止着するために用いられる（図１３参照）。
【００３１】
具体的に、止着片１０ａ〜１０ｄとしては、例えば、粘着テープや、メカニカルファスナーを利用することができる。メカニカルファスナーを利用する場合には、フック部とループ部とを対にして用いる必要があるため、例えば、フック部を止着部材として設けた場合には、このフック部の止着対象箇所にループ部を設ける必要がある。ただし、第１シート７又は第２シート８が不織布シートにより構成されている場合には、止着片１０ａ〜１０ｄとしてフック部を用いることによりループ部を省略して不織布に直接止着することができる。
【００３２】
吸収体３は、第１シート７と第２シート８との間に挟持された状態で、これら両シート７、８の少なくとも一方に固定されている。この吸収体３は、先窄まりとなる略等脚台形の平面形状を有し、前記尻尾用スリット６を避けるように、先が二股にされている。
【００３３】
なお、本実施形態では、第１シート７と第２シート８との間に挟持された吸収体３を例示したが、不透液性のバックシートと透液性のバックシート（それぞれ図示せず）との間に前記吸収体３を挟み込んだものを、前記第２シート８の表面に固定した構成とすることもできる。
【００３４】
以下、前記ペット用おむつ１の製造方法について図３及び図４を参照して説明する。図３は、ペット用おむつ１の製造方法の前半部分を示す概略図である。図４は、図３の製造方法の続きを示す概略図である。
【００３５】
まず、図３を参照して、前記第１シート７を形成するための第１シート形成帯（帯状シート）１１をその長手方向（以下、この方向と直交する方向を幅方向と称す）に搬送する（搬送工程）。
【００３６】
このように搬送されている第１シート形成帯１１の表面に対し、前記弾性部材９を形成するための弾性部材連続体１２を長手方向に伸張状態で貼着する。具体的に、第１シート形成帯１１の両縁部に３本ずつ弾性部材連続体１２を貼着する。
【００３７】
また、搬送されている第１シート形成帯１１の表面には、吸収体３を固定する。具体的に、吸収体３は、第１シート形成帯１１の一方の縁部に寄せて配置されているとともに、隣り合う吸収体３は、反対の縁部に寄せて配置され、全体として見たときに各吸収体３は、千鳥状に配置される。
【００３８】
なお、弾性部材連続体１２及び吸収体３を第１シート形成帯１１に取り付ける時期は、どちらが先でもよく、同時であってもよい。
【００３９】
弾性部材連続体１２及び吸収体３を取り付けた後、第１シート形成帯１１の表面に対し、前記第２シート８を形成するための第２シート形成帯１４を貼着する。これにより、弾性部材連続体１２及び吸収体３は、第１シート形成帯１１と第２シート形成帯１４との間に挟持される。
【００４０】
次いで、各弾性部材連続体１２の一部を切断して、当該弾性部材連続対１２を弾性部材９に切り分ける。換言すると、後述する止着シート（止着部材）１０を配置する範囲について弾性部材連続体１２の伸縮力を無効化する。
【００４１】
そして、第２シート形成帯１４の表面に止着シート１０を貼着する。具体的に、止着シート１０は、吸収体３と幅方向に並び、かつ、第２シート形成帯１４の両縁部のうち、吸収体３から遠い方の縁部に寄せて配置される。止着シート１０は、２行２列に配置された前記止着片１０ａ〜１０ｄを表面に有する略正方形のシートである。
【００４２】
図４を参照して、次に、第１シート形成帯１１及び第２シート形成帯１４（以下、各シート形成帯１１、１４と称す）を、幅方向に蛇行する分断線Ｓ１に沿って切断する（連続体形成工程）。具体的に、分断線Ｓ１は、隣り合う吸収体３同士の間を通り、かつ、止着シート１０における止着片１０ａと止着片１０ｃとの間、及び止着片１０ｂと止着片１０ｄとの間を通るように設定された切断線である。したがって、この分断線Ｓ１に沿って各シート形成帯１１、１４を切断することにより、前記胴回り用帯４同士が長手方向に連結され、かつ、腹部用帯５が長手方向に並ぶ２列のおむつ連続体が形成される。つまり、連続体形成工程では、幅方向に向きの異なる各おむつ連続体の腹部用帯５が長手方向に交互に並ぶように、幅方向に蛇行する分断線Ｓ１に沿って各シート形成帯１１、１４を分断する。
【００４３】
また、連続体形成工程では、各シート形成帯１１、１４だけでなく止着シート１０も分断線Ｓ１に沿って切断することとしているため、止着シート１０は、止着片１０ａ及び止着片１０ｂを含む部分と、止着片１０ｃ及び止着片１０ｄを含む部分とに２分割されることになる。
【００４４】
次いで、各シート形成帯１１、１４を、スリット形成線Ｓ２に沿って切断して、前記尻尾用スリット６を形成する（スリット形成工程）。このスリット形成工程では、各シート形成帯１１、１４だけでなく止着シート１０もスリット形成線Ｓ２に沿って切断することとしているため、止着シート１０の止着片１０ｃ及び止着片１０ｄを含む部分は、それぞれ止着片１０ｃに相当する部分と、止着片１０ｄに相当する部分とに分断される。
【００４５】
さらに、各シート形成帯１１、１４を、切断線Ｓ３に沿って切断して、ペット用おむつ１に切り分ける（切り分け工程）。この切り分け工程では、各シート形成帯１１、１４だけでなく止着シート１０も切断線Ｓ３に沿って切断することとしているため、止着シート１０の止着片１０ａ及び止着片１０ｂを含む部分は、それぞれ止着片１０ａに相当する部分と、止着片１０ｂに相当する部分とに分断される。
【００４６】
なお、前記スリット形成工程及び切り分け工程を行なう時期は、どちらが先であってもよく、同時としてもよい。また、スリット形成工程、切り分け工程の少なくとも一方を、前記連続体形成工程と同時に行うこともできる。
【００４７】
以上説明したように、前記実施形態に係る製造方法によれば、各シート形成帯１１、１４をその幅方向に蛇行する分断線Ｓ１に沿って分断することにより、おむつ連続体の腹部用帯５が長手方向に交互に並び、かつ、胴回り用帯４同士が長手方向に連結された状態にある２列のおむつ連続体を得ることができ、これらおむつ連続体を切断線Ｓ３に沿って切り分けることによりペット用おむつ１を製造することができる。
【００４８】
したがって、前記実施形態によれば、材料のロスが少なく、かつ、高い生産効率でペッ
ト用おむつ１を製造することができる。
【００４９】
前記実施形態のように、切断線Ｓ３とスリット形成線Ｓ２とが幅方向に連続するように配置され、前記スリット形成工程と切り分け工程とを同時に行うようにすれば、尻尾用スリット６を形成するのと同時に、各おむつ連続体をペット用おむつ１に切り分けることができるので、これらを別々に行う場合よりも作業時間を短縮することができ、生産効率をより向上させることができる。
【００５０】
前記実施形態のように、分断線Ｓ１、切断線Ｓ３、及びスリット形成線Ｓ２に沿って各シート形成帯１１、１４を切断する前の段階において、止着シート１０を前記各線Ｓ１〜Ｓ３に跨るように各シート形成帯１１、１４に取り付けるようにすれば、止着シート１０を４分割することにより、止着片１０ａ〜１０ｄをペット用おむつ１の適所に設けることができる。
【００５１】
つまり、止着片１０ａ〜１０ｄのうちの止着片１０ａ、１０ｂが胴回り用帯４の両端部に、止着片１０ｃ、１０ｄが腹部用帯５の先端部における尻尾用スリット６を挟んだ両側に配置されるため、ペットの胴回りに巻き付けられた胴回り用帯４同士を止着するために止着片１０ａ、１０ｂを利用することができ、胴回り用帯４に対して腹部用帯５を止着するために止着片１０ｃ、１０ｄを利用することができる。
【００５２】
そして、前記実施形態では、１枚の止着シート１０を各シート形成帯１１、１４に取り付けた上で、連続体形成工程、スリット形成工程、及び切り分け工程において止着シート１０を４分割しているので、４つの止着片１０ａ〜１０ｄを個別に取り付ける場合よりも効率よくペット用おむつ１を製造することができる。
【００５３】
なお、前記ペット用おむつ１の胴回り用帯４を延長させる場合には、以下のような製造方法を採用することができる。
【００５４】
図５は、図３及び図４に示す製造方法の変形例を示す側面概略図であり、延長帯１５を各シート形成帯１１、１４に固定した状態を示したものである。図６は、図５の延長帯１５を切断した状態を示す側面概略図である。
【００５５】
図３及び図５を参照して、前記シート部材１０を貼着する前の段階において、第２シート形成帯１４の表面に延長帯１５に貼着する（固定工程）。具体的に、延長帯１５は、Ω状に折り畳まれ、その両端部１６、１７が第２シート形成帯１４の表面に貼着される。延長帯１５の貼着位置は、前記止着シート１０の取付位置であって、止着片１０ａ、１０ｂの直下となる位置である。つまり、延長帯１５は前記切断線Ｓ３（図４参照）を跨ぐように配置される。
【００５６】
このように延長帯１５が第２シート形成帯１４に貼着されると、次いで、延長帯１５及び第２シート形成帯１４に跨るように、当該延長帯１５及び第２シート形成帯１４の表面に止着シート１０を貼着する。
【００５７】
次いで、前記連続体形成工程及びスリット形成工程（図４参照）を行うとともに、図６に示すように、第２シート形成帯１４及び延長帯１５を、前記切断線Ｓ３に沿って切断する（切り分け工程）。この切り分け工程により、延長帯１５が第１片１５ａと第２片１５ｂとに２分割される。このように分割された第１片１５ａ及び第２片１５ｂは、図７及び図８に示すように、それぞれの先端部に止着片１０ａ、１０ｂを有するとともに、展開された状態で胴回り用帯４の延長部分を構成することになる。
【００５８】
この実施形態のように、長手方向に折り畳んだ延長帯１５を切断線Ｓ３を跨ぐように配置した状態で、当該延長帯１５の両端部１６、１７を各シート形成帯１１、１４に貼着し、前記切り分け工程において延長帯１５の途中部を切断するようにすれば、第１片１５ａ、第２片１５ｂをそれぞれ胴回り用帯４の両端部にそれぞれ残すことができるので、これら各片１５ａ、１５ｂを展開することにより、胴回り用帯４を延長することが可能となる。したがって、このように製造されたペット用おむつは、胴回りの大きなペットに対しても装着することが可能となる。
【００５９】
しかも、前記実施形態では、延長帯１５の両端部１６、１７を各シート形成帯１１、１４に固定した上で、延長帯１５の途中部を切断することとしているため、切断線Ｓ３の両側にそれぞれ第１片１５ａ及び第２片１５ｂの一端のみを固定した場合と異なり、各シート形成帯１１、１４の搬送中において延長帯１５が不用意に揺動するのを防ぐことができる。つまり、各片１５ａ、１５ｂの一端のみを各シート形成帯１１、１４に固定した場合には、反対の端部が自由に移動することができてしまうのに対し、前記実施形態のように延長帯１５の両端を各シート形成帯１１、１４に固定した場合には、当該延長帯１５の移動を比較的小さくすることができる。
【００６０】
また、前記実施形態のように、延長帯１５の表面に止着シート１０を取り付け、前記切り分け工程において、止着シート１０及び延長帯１５を切断するようにすれば、第１片１５ａ及び第２片１５ｂの先端部にそれぞれ止着片１０ａ、１０ｂを設けることができるので、これら止着片１０ａ、１０ｂを用いて各片１５ａ、１５ｂ同士を止着することができる。
【００６１】
図９は、本発明の別の実施形態に係るペット用おむつの製造方法を示す平面概略図である。上述した実施形態と異なる点について主に説明する。
【００６２】
図９を参照して、本実施形態に係るペット用おむつ１８は、おむつ本体１９と、このおむつ本体１９に設けられた吸収体２０とを備えている。
【００６３】
おむつ本体１９は、ペットの胴回りに巻き付けるための胴回り用帯２１と、この胴回り用帯２１から腹部用帯２２と、腹部用帯２２の先端部に形成された尻尾用スリット２３とを備えた形状とされている。腹部用帯２２は、前記実施形態と異なり、ストレートに延びた形状とされているとともに、先端部が丸みを帯びた形状とされている。この腹部用帯２２の形状に応じて吸収体２０の形状も細長くされている。
【００６４】
また、おむつ本体１９の止着片２４ａ〜２４ｄは、前記実施形態と異なり、２枚の止着シート（止着部材）２４Ａ及び止着シート（止着部材）２４Ｂを切断することによって形成されている。つまり、本実施形態では、腹部用帯２２の先端部に相当する位置に止着シート２４Ｂを配置するとともに、この止着シート２４Ｂと幅方向に並ぶように第２シート形成帯１４の縁部寄りに止着シート２４Ａを配置し、これら止着シート２４Ａ、２４Ｂを切り分け工程において切断することにより、止着片２４ａ〜２４ｄが形成される。
【００６５】
さらに、図９では、前記実施形態と異なり、スリット形成線Ｓ２に沿った尻尾用スリット２３の形成を行った後に、切断線Ｓ３に沿ったペット用おむつ１８の切り分けを行う製造方法について示している。
【００６６】
この実施形態においても、上述した実施形態と同様の効果を奏することができる。
【図面の簡単な説明】
【００６７】
【図１】本発明の第１の実施形態に係るペット用おむつを示す平面図である。
【図２】図１のII−II線断面図である。
【図３】ペット用おむつの製造方法の前半部分を示す概略図である。
【図４】図３の製造方法の続きを示す概略図である。
【図５】図３及び図４に示す製造方法の変形例を示す側面概略図であり、延長帯を各シート形成帯に固定した状態を示したものである。
【図６】図５の延長帯を切断した状態を示す側面概略図である。
【図７】図５及び図６の製造方法によって得られた延長片を展開して示す側面図である。
【図８】図７の平面図である。
【図９】本発明の別の実施形態に係るペット用おむつの製造方法を示す平面概略図である。
【図１０】特許文献１に係るペット用おむつの全体構成を示す概略図である。
【図１１】図１０のペット用おむつの装着方法を示す図である。
【図１２】図１０のペット用おむつの装着方法を示す図であり、図１１の続きを示している。
【図１３】図１０のペット用おむつの装着方法を示す図であり、図１２の続きを示している。
【符号の説明】
【００６８】
Ｓ１    分断線
Ｓ２    スリット形成線
Ｓ３    切断線
４、２１    胴回り用帯
５、２２    腹部用帯
６、２３    尻尾用スリット
１０    止着シート（止着部材）
１１    第１シート形成帯（帯状シート）
１４    第２シート形成帯（帯状シート）
１５    延長帯
２４Ａ、２４Ｂ    止着シート（止着部材）
【図１】
0004871911.tif 000002
【図２】
0004871911.tif 000003
【図３】
0004871911.tif 000004
【図４】
0004871911.tif 000005
【図５】
0004871911.tif 000006
【図６】
0004871911.tif 000007
【図７】
0004871911.tif 000008
【図８】
0004871911.tif 000009
【図９】
0004871911.tif 000010
【図１０】
0004871911.tif 000011
【図１１】
0004871911.tif 000012
【図１２】
0004871911.tif 000013
【図１３】
0004871911.tif 000014